(57)【要約】      （修正有）【課題】パイル糸と基布とバッキング層とを有するカ−ペットにおいて、前記バッキング層に冷感剤を封入したマイクロカプセルを含有させることで、人がカーペットの表面に座ったりすることで、前記冷感剤を封入したマイクロカプセルから冷感剤が放散され、放散された冷感剤を人が吸引することで、人は清涼感を感じることができるようにしたカーペットを提供する。【解決手段】パイル糸２と基布３とバッキング層４とを有するカ−ペット１において、前記バッキング層４に冷感剤を封入したマイクロカプセルを含有させる。【選択図】図１
2013180071.tif 000002
【特許請求の範囲】
【請求項１】
パイル糸と基布とバッキング層とを有するカ−ペットにおいて、前記バッキング層に冷感剤を封入したマイクロカプセルを含有していることに特徴のあるカーペット。
【請求項２】
前記冷感剤を封入したマイクロカプセルが、前記バッキング層に１．５質量％〜１０質量％含有している請求項１に記載のカーペット。
【請求項３】
パイル糸と基布とバッキング層とを有するカ−ペットにおいて、冷感剤を封入したマイクロカプセルが前記基布の少なくとも一部に固着していることに特徴のあるカーペット。
【請求項４】
前記冷感剤を封入したマイクロカプセルが、０．５〜３．５ｇ／ｍ２バインダー樹脂によって前記基布に固着している請求項３に記載のカーペット。
【請求項５】
融点が２０〜３５℃で二種類以上の融点をもつ相転移材料を封入したマイクロカプセルが、前記パイル糸および／あるいは前記基布表面に固着している請求項１〜４のいずれか１項に記載のカーペット。
【請求項６】
前記相転移材料を封入したマイクロカプセルが、０．５０〜５０．０ｇ／ｍ２バインダー樹脂によってカーペットに固着している請求項５に記載のカーペット。
【発明の詳細な説明】
【技術分野】
【０００１】
本発明は、清涼感のあるカーペットに関するものであり、人がカーペットの表面に座ったり、カーペットの表面に触れたときに冷やりとした涼しさを感じるようにしたカーペットに関するものである。
【背景技術】
【０００２】
日本の住宅において、カーペットは１年を通じて多く使われるようになり、カーペットの上に座ったり、横になったりして寛ぐ家庭は多い。カーペットは、冬季には暖かさを求められ、夏季においては涼しく爽やかな感覚の得られるようなものが好まれる。この相反する性質を兼ね備えたカーペットは未だ存在していないが、冬季と夏季で、それぞれ異なる性質のカーペットを敷きかえるようにしているのが一般的である。特に夏季においては、カーペットとして、汗等の吸水性のよい綿カーペットや、イグサや籐の敷物を敷いて夏の暑さを凌ぐようにしていることが多い。
【０００３】
特許文献１においては、相転移物質含有シートと、通気性の確保されたシート状立体構造体を積層することにより、人体等に接した場合の温度上昇が抑えられ、優れた涼感を与えることのできる夏季用の敷き布団や敷布等が提案されている。
【０００４】
また、特許文献２においては、繊維製品に優れた接触冷感を付与すべく、融点が２５〜３７℃であり、潜熱の放出・吸収を伴って可逆的に固液相転移する潜熱蓄熱材を封入してなるマイクロカプセルを繊維に固着することによって、皮膚との接触時に心地よい冷感を与え、暑さによる不快感を低減する技術を開示している。
【０００５】
しかしながら、これらの技術は、潜熱蓄熱材を利用して衣料用や寝具等の薄物の繊維表面に清涼感を与える技術ではあるが、カーペットのように厚みがあって空気を多く含み、断熱効果が大きな繊維集合体においては、保温効果が大きく、カーペットとしての清涼感、冷感を得られるような技術には到ってはいなかった。
【０００６】
出願人は、特許文献３において、基布から上のパイル糸全体に相転移材料を封入したマイクロカプセルが固着させることにより、確実に冷やりとした涼しさを感じるカ−ペットを提案しているが、さらに清涼感の向上が望まれていた。
【特許文献１】特開２００５−３４３０９３号公報
【特許文献２】特開２００６−１６１２２６号公報
【特許文献３】特開２００８−２８５８０３号公報
【発明の概要】
【発明が解決しようとする課題】
【０００７】
本発明は、かかる技術的背景に鑑みてなされたものであって、人がカーペットの表面に座ったりすることで、清涼感を感じることができ、さらにカーペットの表面に触れたときに、確実に冷やりとした涼しさを感じられるようにしたカーペットを提供することを目的とする。
【課題を解決するための手段】
【０００８】
本発明者らは、このような課題を解決するために鋭意検討の結果、パイル糸と基布とバッキング層とを有するカ−ペットにおいて、前記バッキング層に冷感剤を封入したマイクロカプセルを含有させることで、人がカーペットの表面に座ったりすることで、前記冷感剤を封入したマイクロカプセルから冷感剤が放散され、放散された冷感剤を人が吸引することで、清涼感を感じることができるようにしたカーペットが得られることを見出し本発明に到達した。前記目的を達成するために、本発明は以下の手段を提供する。
【０００９】
［１］パイル糸と基布とバッキング層とを有するカ−ペットにおいて、前記バッキング層に冷感剤を封入したマイクロカプセルを含有していることに特徴のあるカーペット。
【００１０】
［２］前記冷感剤を封入したマイクロカプセルが、前記バッキング層に１．５質量％〜１０質量％含有している前項１に記載のカーペット。
【００１１】
［３］パイル糸と基布とバッキング層とを有するカ−ペットにおいて、冷感剤を封入したマイクロカプセルが前記基布の少なくとも一部に固着していることに特徴のあるカーペット。
【００１２】
［４］前記冷感剤を封入したマイクロカプセルが、０．５〜３．５ｇ／ｍ２バインダー樹脂によって前記基布に固着している前項３に記載のカーペット。
【００１３】
［５］融点が２０〜３５℃で二種類以上の融点をもつ相転移材料を封入したマイクロカプセルが、前記パイル糸および／あるいは前記基布表面に固着している前項１〜４のいずれか１項に記載のカーペット。
【００１４】
［６］前記相転移材料を封入したマイクロカプセルが、０．５０〜５０．０ｇ／ｍ２バインダー樹脂によってカーペットに固着している前項５に記載のカーペット。
【発明の効果】
【００１５】
［１］の発明では、パイル糸と基布とバッキング層とを有するカ−ペットにおいて、前記バッキング層に冷感剤を封入したマイクロカプセルを含有しているので、人がカーペットの表面に座ったりすることで、前記冷感剤を封入したマイクロカプセルから冷感剤が一層放散され、放散された冷感剤を人が吸引することで、人は清涼感を感じることができる。
【００１６】
［２］の発明では、前記冷感剤を封入したマイクロカプセルが、前記バッキング層に１．５質量％〜１０質量％含有しているので、前記冷感剤を封入したマイクロカプセルから冷感剤が一度に多量に放散されることなく、徐々に放散される。
【００１７】
［３］の発明では、パイル糸と基布とバッキング層とを有するカ−ペットにおいて、冷感剤を封入したマイクロカプセルが前記基布の少なくとも一部に固着しているので、肌が触れたりすることで、前記冷感剤を封入したマイクロカプセルから冷感剤が一層放散され、放散された冷感剤を人が吸引することで、人は清涼感を感じることができる。
【００１８】
［４］の発明では、前記冷感剤を封入したマイクロカプセルが、０．５〜３．５ｇ／ｍ２バインダー樹脂によって前記基布に固着しているので、人は清涼感を十分感じることができる。
【００１９】
［５］の発明では、融点が２０〜３５℃で二種類以上の融点をもつ相転移材料を封入したマイクロカプセルが、前記パイル糸および／あるいは前記基布表面に固着しているので、人がカーペット表面のパイル糸に触れたとき、および／あるいはカーペット基布に触れたとき、冷やりとした涼しさを感じることができる。しかも、気温が一つの相転移材料の融点に達していたとしても、他の融点をもつ相転移材料が溶融しないで残っており、人体がカ−ペットに接触したときに残っている相転移材料が融解し、そのとき人体から融解熱の移動がおこり、人は、カ−ペットを冷たく感じることができる。
【００２０】
［６］の発明では、前記相転移材料を封入したマイクロカプセルが、０．５０〜５０．０ｇ／ｍ２バインダー樹脂によってカーペットに固着しているので、十分な涼感能力を持ったカーペットとすることができる。
【図面の簡単な説明】
【００２１】
【図１】この発明に係るカーペットの一実施形態を示す説明図である。
【発明を実施するための形態】
【００２２】
次に、この発明に係るカーペットの一実施形態を図１に示す。この実施形態のカーペット１は、パイル糸２と基布３とバッキング層４を有するカ−ペットにおいて、前記バッキング層４に冷感剤を封入したマイクロカプセル（図示せず）を含有している。また、例えばカーペットのステッチが粗く目付の軽くすることで、人がカーペット上に乗って手足を載せたとき、基布３にも皮膚が接することがあるので、基布３の表面に冷感剤を封入したマイクロカプセル（図示せず）を固着させている。また、図１ではバッキング層４の保護やクッション性を付与するために不織布からなるセカンド基布５を積層している。
【００２３】
本発明で使用する冷感剤としては、特に限定されないが例えば、メントール、ハッカオイル、ペパーミントオイル、スペアーミントオイル等を挙げることができるが、これらを複数組み合わせて用いてもよい。
【００２４】
冷感剤を封入するマイクロカプセルは、有機系マイクロカプセルが好ましく、例えばポリスチレン、エチレンセルロース、ポリアミド、ポリアクリル酸、メラミン、ウレタン、シリコーン樹脂などが挙げられるが、これらに限定されるものではない。また、マイクロカプセルの平均粒径は、特に限定されないが加工液等への分散性や、マイクロカプセルの不必要な破損を抑制するという点で０．１〜２０μｍが好ましい。
【００２５】
本発明において、バッキング層４は、冷感剤を封入したマイクロカプセルを分散させたバッキング剤を公知の方法で基布３の下面に塗布し、乾燥キュアさせることで形成することができる。前記バッキング剤は、パイル糸２と基布３とを固定できる樹脂組成物やゴム組成物に、無機材料として炭酸カルシウム、二酸化珪素、酸化亜鉛、タルクからなる群から選ばれる１種または２種以上を、樹脂組成物又はゴム組成物ラテックス１００質量部に対して５０質量部以上を含有させるのが一般的である。本発明では、さらに冷感剤を封入したマイクロカプセルを均一に分散させたバッキング剤である。なお、樹脂組成物やゴム組成物は、パイル糸２と基布３とを固定できる樹脂組成物やゴム組成物であれば特に限定されず、樹脂組成物の樹脂成分としては例えばアクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としては例えばＳＢＲ（スチレン−ブタジエン）、ＮＢＲ（アクリロニトリル−ブタジエンゴム）、ＭＢＲ（メチルメタクリレート−ブタジエンゴム）あるいは天然ゴム等が挙げられる。なお、前記バッキング剤には、分散剤、消泡剤、増粘剤、防腐剤、顔料等を適宜含有させて用いる。
【００２６】
バッキング層４に、冷感剤を封入したマイクロカプセルがバッキング層４に対して１．５質量％〜１０質量％含有していることが好ましい。１．５質量％未満では冷感剤の放散が少なく清涼感が弱くなるおそれがあり好ましくない。１０質量％を超えても徒に材料のコスト増をまねくばかりで好ましくない。
【００２７】
また、基布３は特に限定されるものではなく、ポリエステル繊維やポリプロピレン繊維、麻、綿等の天然繊維からなる織、編基布、不織布等通常使用される基布でよいが、中でも、綿基布は吸水性に優れていることから本発明においても好ましい素材である。
【００２８】
バインダー樹脂としては、冷感剤を封入したマイクロカプセルを基布３に強固に固着することが出来ればよいが、一般的には、例えばウレタン樹脂、自己架橋型アクリル樹脂、メタアクリル樹脂、シリコン樹脂、グリオキザール樹脂、ポリエステル樹脂、酢酸ビニル樹脂、塩化ビニリデン樹脂、ブタジエン樹脂、メラミン樹脂、エポキシ樹脂、アクリル−シリコン共重合体樹脂、スチレン−ブタジエン共重合体樹脂（ＳＢＲ）、エチレン−酢酸ビニル共重合体樹脂（ＥＶＡ）、イソブチレン無水マレイン酸共重合体樹脂、エチレン−スチレン−アクリレート−メタアクリレート共重合体樹脂等を挙げることができる。
【００２９】
冷感剤を封入したマイクロカプセルを基布３に固着する方法は、バインダー樹脂溶液に冷感剤を封入したマイクロカプセル等を均一に分散させ、スプレー法やコーティング法など従来からある方法で基布３に十分塗布し、乾燥処理することで基布３に固着する。バインダー樹脂溶液に浸透剤を混入してもよい。バインダー樹脂の乾燥手段は、加熱処理により乾燥させる方が望ましく、この時の加熱処理温度は、素材や規格にもよるが、１００〜１８０℃とするのが好ましい。この温度での加熱処理により基布３への固着性がより高まり、耐久性が一段と向上する。冷感剤を封入したマイクロカプセルが０．５〜３．５ｇ／ｍ２バインダー樹脂によって基布３に固着していることが好ましい。０．５ｇ／ｍ２未満では冷感剤の放散が少なく清涼感が弱くなるおそれがあり好ましくない。３．５ｇ／ｍ２を超えても徒に材料のコスト増をまねくばかりで好ましくない。
【００３０】
本発明において、パイル糸２の素材としては特に限定されず、ポリエステル繊維、ポリアミド繊維、ポリプロピレン繊維、アクリル繊維、レ−ヨン繊維等の合成繊維からなるもの等を好適に使用でき、その他麻、綿、羊毛等の天然繊維からなるもの等も使用できる。パイルの形態としてもカットパイルであっても、ル−プパイルであってもよいが、ル−プパイルのほうが清涼感は感じやすい。パイル糸２の目付についても、特に限定されることなく、カーペットの形態をなすものであればよい。
【００３１】
相転移材料（ＰＣＭ）は、固相と液相との間で反復転換する材料で、融解、凝固するときに発現する熱を利用して、熱を蓄積、あるいは放出させて、相転移材料周辺の温度を制御するものである。相転移材料としては、パラフィンやワックス等の炭化水素化合物が好適に使用されるが特に限定しない。該相転移材料を封入したマイクロカプセルは市販されており、大和化学工業株式会社製プレサーモ、三木理研工業株式会社製蓄熱蓄冷マイクロカプセル等を挙げることができ、マイクロカプセルの組成としても、特に限定されなくて、一般に市販されているものでよい。
【００３２】
本発明で使用する相転移材料を封入したマイクロカプセルは、熱吸収のピーク温度（融点ともいう）または熱放散のピーク温度（凝固点ともいう）が２０〜３５℃の範囲内であるものが好ましい。人の体温は、３６〜３７℃であるが、手や足の表面温度はこれよりも低く３２〜３４℃といわれているので、２０〜３５℃で熱吸収のピーク温度（融点）となる相転移材料が好ましい。より好ましいピーク温度（融点）は、２５〜３２℃である。
【００３３】
熱吸収のピーク温度が低すぎる場合では、人体が接触する前に既に相転移材料が溶けてしまっており、人体が接触しても涼感効果を得ることはできない。また、熱吸収のピーク温度が高すぎる場合には、人体が接触しても、相転移材料が溶けないため、冷たさを感じることはできない。
【００３４】
室温の高い部屋で本発明のカーペットを使用する場合は、二種類以上の融点をもつ相転移材料が有効である。例えば、融点が２５℃と３２℃の二種類の融点をもつ相転移材料を封入したマイクロカプセルを５０対５０の割合でパイル糸２と基布３に固着させた場合、夏の日の朝の室温が２０℃のときは、融点２５℃の相転移材料が有効に働き涼感効果を得ることができる。午後になって室温が上昇し、３０℃となった場合は、融点の低い相転移材料は、既に溶けてしまっており、３２℃の融点をもつ相転移材料の効果しか得ることができない。２５℃の融点をもつ相転移材料で全てを構成した場合、午前中は、冷たさを感じることができるが、午後は全く感じられない状況となる。また、３２℃の融点をもつ相転移材料で全てを構成した場合は、室温と融点の温度差が大きく、ほとんど冷たさを感じることができないが、室温と融点の温度差が小さくなる午後には冷たさを感じることができるようになる。
【００３５】
相転移材料を封入したマイクロカプセルは、０．５０〜５０．０ｇ／ｍ２バインダー樹脂によってカーペットのパイル糸２および／あるいは前記基布３の表面に固着されるのが好ましい。０．５０ｇ／ｍ２を下回ると冷たさを感じられない。また、５０．０ｇ／ｍ２を超えて固着しても、カーペットの風合が硬くなり、コストが上昇するだけで効果が伴わず好ましくない。より好ましくは、１〜２０．０ｇ／ｍ２の固着量がよい。
【００３６】
また相転移材料を封入したマイクロカプセルの粒径は１〜５０μｍが好ましい。５０μｍを超えると、ザラツキ感や硬さが発現しカーペットの好ましい風合にならない。更に好ましい粒径は、５〜２５μｍである。
【００３７】
また、図１に示すようにバッキング層４の下側にクッション性能とバッキング層４の保護性能を付与すべく、不織布からなるセカンド基布５を設けてもよい。セカンド基布５としては、特に限定されず、ニ−ドルパンチ不織布、スパンボント不織布等を例示できる。セカンド基布５の目付は５０〜１０００ｇ／ｍ２、その厚さを０．５〜１５ｍｍ、構成繊維の繊度を０．１〜３０デシテックスの範囲に設定するのが好ましい。セカンド基布５の目付が、５０ｇ／ｍ２未満ではカ−ペットとしての機能や品位の劣ったものとなり、好ましくない。１０００ｇ／ｍ２を超えると徒にコスト増大となるだけで好ましくない。素材としては、パイル糸２、基布３と同様に特に限定されない。また、セカンド基布５の最下部表面に、樹脂組成物やゴム組成物で滑り止め層を形成してもよい。
【実施例】
【００３８】
次に、この発明の実施例として使用したカーペットの材質、構造、冷感剤を封入したマイクロカプセルの種類、相転移材料を封入したマイクロカプセルの種類、加工方法、官能評価試験の方法は次の通りである。
【００３９】
＜使用材料＞
パイル糸・・・ポリエステル繊維からなるパイル糸をループ状にタフティング機（１／８Ｇ）で基布に植え込む（パイル長５．０ｍｍ、目付５００ｇ／ｍ２）
基布・・・目付１００ｇ／ｍ２ポリプロピレンテープヤーン織布（１４×１３）
セカンド基布・・・５デシテックスのポリエステル繊維からなるニードルパンチ不織布（目付３００ｇ／ｍ２、厚さ６ｍｍ）
冷感剤を封入したマイクロカプセル・・・マイクロコロンＨＶ−Ｕ（大和化学工業株式会社製）ハッカ
相転移材料を封入したマイクロカプセル・・・プレサーモ（大和化学工業株式会社製）融点２５℃と融点３１℃の二種類
バインダー樹脂・・・アクリル−シリコン共重合体樹脂「ライトエポック」（共栄社株式会社製）
【００４０】
＜実施例１＞
カーペット表皮層の裏面（基布側）に、ＳＢＲラテックス（ＳＢＲ５０質量％含有）を１００質量部と炭酸カルシウムを４００質量部と冷感剤を封入したマイクロカプセル（ハッカ封入、固形分３５％）を２０質量部混合したバッキング剤をローラーコーティング法によりウェットで７００ｇ／ｍ２塗布した後、セカンド基布をバッキング剤面に積層し、１２０℃で１０分間乾燥しカーペットを得た。バッキング層には、冷感剤を封入したマイクロカプセルを９．４％含んでいた。官能評価試験の結果は、１０人全員がスッキリした清涼感があると答えた。
【００４１】
＜比較例１＞
実施例１において、冷感剤を封入したマイクロカプセル（ハッカ封入、固形分３５％）を混合していないバッキング剤を用いた以外は実施例１と同様にしてカーペットを得た。官能評価試験の比較するカーペットとした。
【００４２】
＜実施例２＞
実施例１において、冷感剤を封入したマイクロカプセル（ハッカ封入、固形分３５％）を１０質量部混合したバッキング剤用いた以外は実施例１と同様にしてカーペットを得た。バッキング層には、冷感剤を封入したマイクロカプセルを４．８％含んでいた。官能評価試験の結果は、９人がスッキリした清涼感があると答えた。
【００４３】
＜実施例３＞
水１００質量部に冷感剤を封入したマイクロカプセル（ハッカ封入、固形分３５％）を４質量部分散させておいてから、バインダー樹脂を６質量部分散した水溶液をスプレーにて基布表面に１２５ｇ／ｍ２塗布し、１２０℃、１０分間乾燥処理した。このようにして得られた冷感剤を封入したマイクロカプセルを１．６ｇ／ｍ２固着した基布に、パイル糸をタフティングしたカーペット表皮層に比較例１と同じバッキング剤を用いた以外は実施例１と同様にしてカーペットを得た。官能評価試験の結果は、８人がスッキリした清涼感があると答えた。
【００４４】
＜実施例４＞
実施例３において、基布表面に２５０ｇ／ｍ２塗布し、冷感剤を封入したマイクロカプセル（ハッカ封入、固形分３５％）を３．２ｇ／ｍ２固着した基布を用いた以外は実施例３と同様にしてカーペットを得た。官能評価試験の結果は、９人がスッキリした清涼感があると答えた。
【００４５】
＜実施例５＞
実施例１において、実施例３の基布を用いた以外は実施例１と同様にしてカーペットを得た。官能評価試験の結果は、１０人がスッキリした清涼感があると答えた。
【００４６】
＜実施例６＞
水１００質量部に相転移材料を封入したマイクロカプセル分散液（パラフィン封入、融点２５℃、固形分４０％）２５質量部を分散させておいてから、バインダー樹脂を２５質量部分散した水溶液をスプレーにて基布表面に１２５ｇ／ｍ２塗布し、１２０℃、１０分間乾燥処理して、基布上に相転移材料を封入したマイクロカプセルを８ｇ／ｍ２固着した基布に、パイル糸をタフティングしたカーペット表皮層を用いた以外は実施例１と同様にしてカーペットを得た。官能評価試験の結果は、１０人が冷やりとスッキリした清涼感があると答えた。
【００４７】
＜実施例７＞
実施例１で得られたカーペット表面に、水１００質量部に相転移材料を封入したマイクロカプセル分散液（パラフィン封入、融点２５℃、固形分４０％）５０質量部を分散させておいてから、バインダー樹脂を５０質量部分散した水溶液をスプレーにてカーペットのパイル表面から２５０ｇ／ｍ２塗布し、１２０℃、１０分間乾燥処理して、カーペット上に相転移材料を封入したマイクロカプセルを２５ｇ／ｍ２固着したカーペットを得た。官能評価試験の結果は、１０人が冷やりとスッキリした清涼感があると答えた。
【００４８】
＜実施例８＞
水１００質量部に冷感剤を封入したマイクロカプセル（ハッカ封入、固形分３５％）を２質量部と相転移材料を封入したマイクロカプセル分散液（パラフィン封入、融点２５℃、固形分４０％）５質量部とを分散させておいてから、バインダー樹脂を６質量部分散した水溶液をスプレーにて基布表面に１２５ｇ／ｍ２塗布し、１２０℃、１０分間乾燥処理した。このようにして得られた冷感剤を封入したマイクロカプセルを０．８ｇ／ｍ２、相転移材料を封入したマイクロカプセルを２．２ｇ／ｍ２固着した基布を用いた以外は実施例１と同様にして得られたカーペット表面に、実施例７で用いた水溶液をスプレーにて２５０ｇ／ｍ２塗布し、１２０℃、１０分間乾燥処理して、カーペット上に相転移材料を封入したマイクロカプセルを２５ｇ／ｍ２固着したカーペットを得た。官能評価試験の結果は、１０人が冷やりとスッキリした清涼感があると答えた。
【００４９】
上述のようにこの発明の実施例１〜８のカーペットは、未加工の比較例１と比較して、明らかにスッキリした清涼感を感じられるカーペットであった。
【００５０】
＜清涼感官能評価＞
官能評価・・・比較例１のカーペットを基準に清涼感の有無を一対比較法で評価し、被験者数を１０人とし、８０％以上の人が清涼と感じたものを合格とした。（気温２０℃湿度６５％の標準室内にて評価）
【産業上の利用可能性】
【００５１】
例えば、人がカーペットの表面に座ったり、触れたときにスッキリとした清涼感や冷やりとした涼しさを感じるようにしたカーペットとして好適に使用することができる。
【符号の説明】
【００５２】
１・・・カーペット
２・・・パイル糸
３・・・基布
４・・・バッキング層
５・・・セカンド基布
【図１】
2013180071.tif 000003